(57)【要約】【課題】簡単操作で利用者に自分の嗜好に合った映像の視覚的な自動録画・再生を提供することを目的とする。【解決手段】映像入力装置の映像コンテンツの録画を開始する際、映像制御装置が、利用者操作装置からの利用者挙動情報を取得する情報収集手段と、当該利用者挙動情報を分析し、感情レベルの高さを判定する情報判定手段と、感情履歴に関するデータベースに当該情報判定手段に基づく感情履歴情報を記憶する情報記憶手段と、映像記憶装置の映像コンテンツの再生を開始する際、利用者操作装置の利用者挙動情報に基づき、映像制御装置が前記感情履歴に関するデータベースを検索する情報検索手段と、映像表示装置に該当映像コンテンツ情報を表示選択させる情報表示選択手段を具備し、利用者の感情レベルと一致する映像コンテンツの選択に基づいた録画処理実行手段と再生処理実行手段を指示する。【選択図】図１
2007336098.tif 000002
【特許請求の範囲】
【請求項１】
利用者操作装置、映像入力装置、映像表示装置、映像記憶装置との間の映像コンテンツの録画・再生動作を仲介する映像制御装置と、当該映像制御装置が保有する利用者の過去の感情履歴情報を保管している感情履歴に関するデータベースと、利用者の感情レベルの閾値情報を保管している感情閾値に関するデータベースと、前記映像コンテンツ鑑賞における利用者挙動情報をリアルタイムに送信する利用者操作装置と、前記映像コンテンツを送信する映像入力装置と、当該映像コンテンツと前記映像制御装置からの感情履歴情報を表示する映像表示装置と、当該映像コンテンツを録画する前記映像記憶装置とで構成される映像録画・再生システムにおいて、
前記映像入力装置の映像コンテンツの録画を開始する際、前記映像制御装置が、前記利用者操作装置からの利用者挙動情報を取得する情報収集手段と、
当該利用者挙動情報を分析し、感情レベルの高さを判定する情報判定手段と、
前記感情履歴に関するデータベースに前記情報判定手段に基づく感情履歴情報を記憶する情報記憶手段と、
前記映像記憶装置の映像コンテンツの再生を開始する際、前記利用者操作装置の利用者挙動情報に基づき、前記映像制御装置が前記感情履歴に関するデータベースを検索する情報検索手段と、
前記映像表示装置に当該映像コンテンツ情報を表示選択させる情報表示選択手段とを具備し、
利用者の感情レベルと一致する映像コンテンツの選択に基づいた録画処理実行手段と、再生処理実行手段を指示することを特徴とする映像録画・再生システム用映像制御装置。
【請求項２】
前記情報判定手段において、前記感情閾値のデータベースを利用して感情レベルの高さを判定することを特徴とする請求項１記載の映像録画・再生システム用映像制御装置。
【請求項３】
前記情報判定手段において、利用者人間の感動、驚き、怒り及び恐怖のうちの少なくとも何れか一つを含む基本的感情を分類することを特徴とする請求項２記載の映像録画・再生システム用映像制御装置。
【請求項４】
前記情報判定手段において、感情レベルの大きさを数値化することを特徴とする請求項２記載の映像録画・再生システム用映像制御装置。
【請求項５】
前記情報判定手段において、利用者が就寝中であることを判定することを特徴とする請求項２記載の映像録画・再生システム用映像制御装置。
【請求項６】
前記情報記憶手段において、前記情報判定手段に基づく感情履歴情報と映像コンテンツ情報を紐付けすることを特徴とする請求項１記載の映像録画・再生システム用映像制御装置。
【請求項７】
前記情報記憶手段において、前記情報判定手段に基づく感情履歴情報と当該映像コンテンツの開始から感情履歴が発生した時までの経過時間の映像チェックポイント情報を紐付けすることを特徴とする請求項６記載の映像録画・再生システム用映像制御装置。
【請求項８】
前記情報表示選択手段において、前記情報検索手段から該当する映像コンテンツ情報を、前記映像表示装置に一覧表示させることを特徴とする請求項１記載の映像録画・再生システム用映像制御装置。
【請求項９】
前記情報表示選択手段において、前記利用者操作装置の接触の開放により該当映像コンテンツを選択したと判定することを特徴とする請求項８記載の映像録画・再生システム用映像制御装置。
【請求項１０】
前記情報表示選択手段において、映像コンテンツの開始から感情履歴が発生した時までの経過時間が到来したら、請求項７記載の映像チェックポイント情報をスーパーインポーズとして表示することを特徴とする請求項８記載の映像録画・再生システム用映像制御装置。
【請求項１１】
前記情報検索手段と前記情報表示選択手段とにおいて、該当映像コンテンツが存在しない時、前記映像制御装置がＩＰネットワーク上に存在する他の映像制御装置に対して、当該映像制御装置の所有する感情履歴に関するデータベースと映像記憶装置の検索を委託する処理要求手段を具備すること特徴とする請求項１記載の映像録画・再生システム用映像制御装置。
【発明の詳細な説明】
【技術分野】
【０００１】
本発明は、映像録画・再生システム用の自動的な録画手順と再生手順を効率的に行うための技術に関する。
【背景技術】
【０００２】
従来、利用者のコンテンツ評価を利用して、映像録画・再生を実行するものとしては、下記特許文献が提案されている。
【０００３】
内容としては、映像コンテンツの内容を携帯電話のジョグダイアルで選択してコンテンツの評価を実行するものがあった（例えば、特許文献１参照）。また、利用者の気分にあったコンテンツを自動的に提示できるようにするものがあった（例えば、特許文献２参照）。また、マルチメディア情報を取り扱う際に、利用者にとって関心の高い部分とその度合いの情報を分類・加工・提示できる情報処理装置もあった（例えば、特許文献３参照）。
【０００４】
【特許文献１】特開２００３−０３０１０５号公報
【特許文献２】特開２００１−２８２８４７号公報
【特許文献３】特開平０８−０８７８７０号公報
【発明の開示】
【発明が解決しようとする課題】
【０００５】
しかしながら、上述した従来技術は、利用者のコンテンツの映像録画・再生処理における映像コンテンツに対して属性情報の付加するために、利用者の設定操作を前提としており、それが利用者に多大な負荷をかけるという問題点があった。
【０００６】
そこで、本発明の目的は、簡単操作で利用者に自分の嗜好に合った映像の視覚的な自動録画・再生を提供することにある。
【課題を解決するための手段】
【０００７】
本発明の映像録画・再生システムは、利用者操作装置、映像入力装置、映像表示装置、映像記憶装置との間の映像コンテンツの録画・再生動作を仲介する映像制御装置と、当該映像制御装置が保有する利用者の過去の感情履歴情報を保管している感情履歴に関するデータベースと、利用者の感情レベルの閾値情報を保管している感情閾値に関するデータベースと、前記映像コンテンツ鑑賞における利用者挙動情報をリアルタイムに送信する利用者操作装置と、前記映像コンテンツを送信する映像入力装置と、当該映像コンテンツと前記映像制御装置からの感情履歴情報を表示する映像表示装置と、当該映像コンテンツを録画する前記映像記憶装置とで構成される映像録画・再生システムにおいて、前記映像入力装置の映像コンテンツの録画を開始する際、前記映像制御装置が、前記利用者操作装置からの利用者挙動情報を取得する情報収集手段と、当該利用者挙動情報を分析し、感情レベルの高さを判定する情報判定手段と、前記感情履歴に関するデータベースに前記情報判定手段に基づく感情履歴情報を記憶する情報記憶手段と、前記映像記憶装置の映像コンテンツの再生を開始する際、前記利用者操作装置の利用者挙動情報に基づき、前記映像制御装置が前記感情履歴に関するデータベースを検索する情報検索手段と、前記映像表示装置に当該映像コンテンツ情報を表示選択させる情報表示選択手段とを具備し、利用者の感情レベルと一致する映像コンテンツの選択に基づいた録画処理実行手段と、再生処理実行手段を指示することを特徴とする。
【発明の効果】
【０００８】
本発明によれば、映像制御装置が、簡単な利用者操作から映像コンテンツの属性情報を自動収集し、映像コンテンツの内容に対する利用者の感情と感情の大きさの度合いを自動判定する。そして、映像コンテンツを分類するために必要なパラメータを自動生成した上で、映像録画・再生処理を実行することにより、簡単操作で利用者に自分の嗜好に合った映像の視覚的な自動録画・再生を提供することを可能とする。
【発明を実施するための最良の形態】
【０００９】
以下、本発明を適用した好適な実施形態を、添付図面を参照しながら詳細に説明する。
【００１０】
＜第１の実施形態＞
先ず、本発明の第１の実施形態について説明する。
本実施形態の映像制御装置、映像入力装置、利用者操作装置、映像記憶装置で構成する映像録画・再生システムについて、図１のシステム概要図を参照して説明する。
【００１１】
通信規格に準拠し装置間の接続動作をサポートするネットワークを用いた映像コンテンツの録画・再生システムにおけるシステムを前提とする。
【００１２】
映像制御装置や利用者操作装置は、それぞれ複数で実現してもよい。これらは、互いに通信可能なように、有線または無線Local Area Network（ＬＡＮ）などで接続されている。
【００１３】
なお、映像録画・再生に利用するプロトコルは、ＲＴＰ、ＲＴＣＰ、ＨＴＴＰ、ＵＤＰなどである。
【００１４】
図１のシステム概要図において、１１０は、映像制御装置である。１１１は、感情履歴ＤＢであり、利用者の過去の感情履歴情報を管理しているデータベースである。１１２は、感情ポリシーＤＢであり、利用者操作装置の利用者挙動情報に応じた感情レベルの閾値情報を管理するデータベースである。感情レベルの閾値情報には、あらかじめ既定値が設定されているが、利用者が任意に設定情報を変更することが可能である。
【００１５】
利用者操作装置ＩＤを感情ポリシーＤＢに新規登録した時点で、既定値が設定される。
この２つのデータベースは、映像制御装置１１０に内蔵もしくは、外付けとしてパラレルケーブルもしくはＵＳＢケーブルで接続されている。
【００１６】
１２０は、映像表示装置である。映像入力装置１２１や映像記憶装置１６０の映像コンテンツを画面に表示する。また、利用者操作装置の入力データ結果の表示も行う。１２１は、映像入力装置である。
【００１７】
映像録画・再生の送信側となる。放送用アナログ・デジタルチューナ、放送用アナログ・デジタルチューナが実装されたＰＣ、または、通信Ｉ／Ｆを実装したデジタルカメラ、デジタルヴィデオ、スキャナなどのＮｏｎＰＣ機器が含まれる。
【００１８】
１３０は、映像制御装置である（２台以上の複数台ある場合もある）。機能は映像制御装置１１０と同様である。映像制御装置１１０とはネットワーク上の信頼関係があり、感情履歴ＤＢ１１１と感情ポリシーＤＢ１１２と同様のものを所有する。映像制御装置１１０と映像制御装置１３０は、双方の感情履歴ＤＢと映像記憶装置に問い合わせ依頼することが可能である。
【００１９】
１４０は、利用者操作装置である（２台以上の複数台ある場合もある）。利用者の挙動情報を検知し、映像制御装置に当該情報を情報メッセージとして送信する。１６０は、映像記憶装置であり、映像録画・再生における映像コンテンツの記憶装置である。
【００２０】
まず、本実施形態のシークエンスとデータフローの図について説明する。図２は映像制御装置１１０の録画モードのシークエンスを示す図である。図３は映像制御装置１１０の再生モードのシークエンスを示す図である。図２と図３は、本実施形態の全体シークエンスを示す図である。図４は、アプリケーション２１０のフローチャートである。図９は、アプリケーション２２０のフローチャートである。
【００２１】
図４と図９は、それぞれ図２の、映像制御装置１１０の録画モードのシークエンスから呼び出される常駐モジュールである。
【００２２】
図５は、利用者操作装置１４０からの通信メッセージ５１０であり、利用者操作装置１４０からの利用者挙動情報を設定する為に利用する通信メッセージである。
【００２３】
図６は、感情ポリシーＤＢ１１２の構成：ＤＢレイアウト６１０であり、感情ポリシーＤＢ１１２を構成するフォーマットである。
【００２４】
図７は、感情履歴ＤＢ１１１の構成：ＤＢレイアウト７１０であり、感情ポリシーＤＢ１１２を構成するフォーマットである。
【００２５】
図８は、感情判定処理４０５０のフローチャートであり、図４のアプリケーション２１０のフローチャートと図１０のアプリケーション３１０のフローチャートから呼び出される常駐モジュールである。
【００２６】
図１０は、アプリケーション３１０のフローチャートであり、図３の、映像制御装置１１０の再生モードのシークエンスから呼び出される常駐モジュールである。
【００２７】
図１１は、利用者操作装置のハードウェア構成である。利用者操作装置１４０と利用者操作装置１５０はこれと同様の構成である。
【００２８】
外壁は、柔状態の素材から構成されており、ＣＰＵ、ＲＡＭ、ＲＯＭ、圧力センサ部１１１０と入力情報制御部１１２０、通信Ｉ／Ｆ部１１３０、通信アンテナ部１１４０で構成されている。
【００２９】
利用者が利用者操作装置の接触することで、圧力センサ部１１１０が、状態（押下、圧縮）、押下時間（秒単位）、押下頻度（回数）、押下強度（グラム単位）で検知する。当該情報は、入力情報制御部１１２０を通して、通信Ｉ／Ｆ部１１３０から通信アンテナ部１１４０より無線により映像制御装置１１０へ送信される。通信Ｉ／Ｆ部１１３０と通信アンテナ部１１４０は通信標準規格に準拠したものである。
【００３０】
図１２は、映像表示装置の画面表示イメージ（感情レベル表示）である。図１３は、映像表示装置の画面表示イメージ（感情レベル表示選択＋該当映像コンテンツ名表示）である。図１４は、映像表示装置の画面表示イメージ（感情チェックポイント表示）である。
【００３１】
図１２〜図１４は、図１６の映像制御装置１１０から映像表示装置１２０への通信メッセージから生成される映像表示装置の画面表示のイメージ図である。
【００３２】
図１５は、映像表示装置の画面表示イメージ（終了通知）である。映像制御装置の映像プログラムの終了通知メッセージから生成される映像表示装置の画面表示のイメージ図である。
【００３３】
図１６は、映像制御装置１１０から映像表示装置１２０への通信メッセージであり、利用者操作装置１４０の利用者挙動情報を中継する映像制御装置１１０からの映像表示装置１２０への通信メッセージである。
【００３４】
図１７は、映像制御装置のハードウェア構成である。ＣＰＵ、ＲＡＭ、ＲＯＭ、通信アンテナ部１７１０、通信Ｉ／Ｆ部１７２０、映像入力装置Ｉ／Ｆ部１７３０、映像表示装置Ｉ／Ｆ部１７４０、映像記憶装置Ｉ／Ｆ部１７５０、アプリ処理部１７６０、データベース部１７７０で構成されている。通信アンテナ部１７１０と通信Ｉ／Ｆ部１７２０は、利用者操作装置１４０からの情報を受信するための通信インターフェイスである。
【００３５】
これより、本実施形態のシークエンスとデータフローについて説明する。映像制御装置が、簡単な利用者操作から映像コンテンツの属性情報を自動収集し、映像コンテンツの内容に対する利用者の感情と感情の大きさの度合いを自動判定し、映像コンテンツを分類するために必要なパラメータを自動生成する。その上で、映像録画・再生処理を実現するシークエンスについて説明する。
【００３６】
図２の、映像制御装置１１０の録画モードのシークエンスについて説明する。ステップＳ２１０において、映像入力装置１２１から映像制御装置１１０に映像プログラムが送信される。
【００３７】
映像プログラムを受信した映像制御装置１１０は、映像表示装置１２０に映像プログラムが送信しながら、映像記憶装置１６０に映像プログラムを録画する。
【００３８】
ステップＳ２２０において、利用者が利用者操作装置１４０に対して、映像プログラムの内容を鑑賞した事により挙動を起こした時、利用者挙動情報Ｍ２０１が映像制御装置１１０に送信される。
【００３９】
通信メッセージの内容は、図５の利用者操作装置１４０からの通信メッセージ５１０と同様である。
【００４０】
次に、図４のアプリケーション２１０のフローチャートについて説明する。ステップＳ４０１０において、利用者操作装置１４０からの利用者の挙動情報である通信メッセージ５１０を受信する。
【００４１】
ステップＳ４０２０において、通信メッセージ５１０の利用者操作装置ＩＤをインデックス・キーとして感情ポリシーＤＢを検索する。
【００４２】
ステップＳ４０３０において、感情ポリシーＤＢを検索できたら、ステップＳ４０４０において、感情判定処理４０５０を実行する。ただし、ステップＳ４０３０における条件が合致しない場合、図４のアプリケーション２１０のフローチャートに戻る。
【００４３】
次に、図８の感情判定処理４０５０のフローチャートについて説明する。ステップＳ８０１０〜Ｓ８０５０の条件は、感情ポリシーＤＢの内容と次の形式で一致している。
【００４４】
ステップＳ８０１０の条件は、図６の、感情ポリシーＤＢ１１２の構成：ＤＢレイアウト６１０の感動データ部の各項目の閾値と一致している。
【００４５】
また、ステップＳ８０２０の条件は、ＤＢレイアウト６１０の驚きデータ部の各項目の閾値と一致している。
【００４６】
また、ステップＳ８０３０の条件は、ＤＢレイアウト６１０の怒りデータ部の各項目の閾値と一致している。
【００４７】
また、ステップＳ８０４０の条件は、ＤＢレイアウト６１０の恐怖データ部の各項目の閾値と一致している。
【００４８】
また、ステップＳ８０５０の条件は、ＤＢレイアウト６１０の就寝データ部の各項目の閾値と一致している。本実施形態では、条件は規定値を例に説明する。
【００４９】
ステップＳ８０１０において、通信メッセージ５１０の状態＝押下であり、押下時間＝４〜３０秒であり、押下頻度＝圧縮であり、押下強度＝１Ｋｇ以下であるか否かを判定する。通信メッセージ５１０の状態＝押下、押下時間＝４〜３０秒、押下頻度＝圧縮、押下強度＝１Ｋｇ以下である場合、ステップＳ８０６０において、"１"（感動を意味する）を、図７の感情履歴ＤＢ１１１の構成：ＤＢレイアウト７１０に設定する。
【００５０】
ステップＳ８０２０において、通信メッセージ５１０の状態＝圧縮であり、押下時間＝４〜３０秒であり、押下頻度＝数回であり、押下強度＝１Ｋｇ以上であるか否かを判定する。通信メッセージ５１０の状態＝圧縮、押下時間＝４〜３０秒、押下頻度＝数回、押下強度＝１Ｋｇ以上である場合、ステップＳ８０７０において、"２"（驚きを意味する）を、図７の感情履歴ＤＢ１１１の構成：ＤＢレイアウト７１０に設定する。
【００５１】
ステップＳ８０３０において、通信メッセージ５１０の状態＝押下であり、押下時間＝１秒以内であり、押下頻度＝１回であり、押下強度＝１Ｋｇ以上であるか否かを判定する。通信メッセージ５１０の状態＝押下、押下時間＝１秒以内、押下頻度＝１回、押下強度＝１Ｋｇ以上である場合、ステップＳ８０８０において、"３"（怒りを意味する）を、図７の感情履歴ＤＢ１１１の構成：ＤＢレイアウト７１０に設定する。
【００５２】
ステップＳ８０４０において、通信メッセージ５１０の状態＝圧縮であり、押下時間＝４〜３０秒であり、押下頻度＝圧縮であり、押下強度＝１Ｋｇ以上であるか否かを判定する。通信メッセージ５１０の状態＝圧縮、押下時間＝４〜３０秒、押下頻度＝圧縮、押下強度＝１Ｋｇ以上である場合、ステップＳ８０９０において、"４"（恐怖を意味する）を、図７の感情履歴ＤＢ１１１の構成：ＤＢレイアウト７１０に設定する。
【００５３】
ステップＳ８０６０〜ステップＳ８０９０が各々終了した時、ステップＳ８１２０において、押下時間と押下強度のそれぞれの閾値から相対的な位置にあるポイント（００１.００〜１００．００の範囲内で）を算出する。そして、図７の感情履歴ＤＢ１１１の構成：ＤＢレイアウト７１０の感動ポイントに設定する。
【００５４】
ステップＳ８０５０において、通信メッセージ５１０の状態＝圧縮であり、押下時間＝３１〜１８００秒であり、押下頻度＝圧縮であるか否かを判定する。通信メッセージ５１０の状態＝圧縮、押下時間＝３１〜１８００秒、押下頻度＝圧縮である場合、ステップＳ８１００において、"５"（就寝を意味する）を、図７の感情履歴ＤＢ１１１の構成：ＤＢレイアウト７１０に設定する。
【００５５】
ステップＳ８０５０の条件に合致しない時、ステップＳ８１１０において、"Ｅｒｒ"（エラーを意味する）を、図７の感情履歴ＤＢ１１１の構成：ＤＢレイアウト７１０に設定する。
【００５６】
本処理終了後、図４のアプリケーション２１０のフローチャートに戻る。ステップＳ４０５０において、図７の感情履歴ＤＢ１１１の構成：ＤＢレイアウト７１０のＫＥＹ部（利用者操作装置ＩＤ、映像録画日）、データ部（映像プログラム名、感情種別、感情ポイント、映像チェックポイント）を設定する。
【００５７】
ステップＳ４０６０において、ステップＳ４０５０で設定された内容に基づいて、感情履歴ＤＢ１１１を登録する。
【００５８】
アプリケーション２１０が実行された後、図２の映像制御装置１１０の録画モードのシークエンスに戻る。
【００５９】
ステップＳ２３０において、映像プログラムが終了した時、映像入力装置１２１が、映像プログラム終了通知命令を、映像制御装置１１０に発行する。
【００６０】
次に、図９のアプリケーション２２０のフローチャートについて説明する。ステップＳ９０１０において、映像入力装置１２１からの終了通知命令を映像制御装置１１０が受信する。
【００６１】
ステップＳ９０２０において、利用者操作装置ＩＤと映像録画日をインデックス・キーとして感情履歴ＤＢを検索する。
【００６２】
該当データが存在しない場合、映像制御装置１１０は、ネットワークの信頼関係がある映像制御装置１３０の支配下にある感情履歴ＤＢを問い合わせ依頼する。
【００６３】
ステップＳ９０３０において、該当データが感情履歴ＤＢに存在する時、本アプリケーションは終了とする。
【００６４】
ステップＳ９０３０において、当該条件が合致しない時、ステップＳ９０４０において、映像制御装置１１０は、映像記憶装置１６０から当該映像プログラムの削除命令を出す。
【００６５】
アプリケーション２２０実行後、図２の映像制御装置１１０の録画モードのシークエンスに戻り、本シークエンスを完了とする。
【００６６】
上記処理により、映像コンテンツの内容に対する利用者の感情と感情の大きさの度合いを自動判定し、映像コンテンツを分類するために必要なパラメータを自動生成することを可能としている。
【００６７】
＜第２の実施形態＞
次に、本発明の第２の実施形態について説明する。本実施形態では、映像制御装置が、簡単な利用者操作から利用者に自分の嗜好に合った映像の自動録画・再生を実現するシークエンスについて説明する。
【００６８】
図３の映像制御装置１１０の再生モードのシークエンスについて説明する。ステップＳ３１０において、利用者が利用者操作装置１４０に対して、挙動を起こした時、利用者挙動情報Ｍ３０１が映像制御装置１１０に送信される。通信メッセージの内容は、図５の利用者操作装置１４０からの通信メッセージ５１０と同様である。
【００６９】
次に、図１０のアプリケーション３１０のフローチャートについて説明する。ステップＳ１００１０において、利用者操作装置１４０からの利用者挙動情報を受信する。
【００７０】
ステップＳ１００２０において、利用者操作装置ＩＤをインデックス・キーとして感情ポリシーＤＢを検索する。
【００７１】
ステップＳ１００３０において、該当するデータが感情ポリシーＤＢに存在する場合、ステップＳ１００４０において、感情判定処理４０５０を実行する。
【００７２】
次に、図８の感情判定処理４０５０のフローチャートについて説明する。ステップＳ８０１０〜Ｓ８０５０の条件は、感情ポリシーＤＢの内容と次の形式で一致している。
【００７３】
ステップＳ８０１０の条件は、図６の感情ポリシーＤＢ１１２の構成：ＤＢレイアウト６１０の感動データ部の各項目の閾値と一致している。
【００７４】
また、ステップＳ８０２０の条件は、ＤＢレイアウト６１０の驚きデータ部の各項目の閾値と一致している。
【００７５】
また、ステップＳ８０３０の条件は、ＤＢレイアウト６１０の怒りデータ部の各項目の閾値と一致している。
【００７６】
また、ステップＳ８０４０の条件は、ＤＢレイアウト６１０の恐怖データ部の各項目の閾値と一致している。
【００７７】
また、ステップＳ８０５０の条件は、ＤＢレイアウト６１０の就寝データ部の各項目の閾値と一致している。
【００７８】
本実施形態では、条件は規定値を例に説明する。ステップＳ８０１０において、通信メッセージ５１０の状態＝押下であり、押下時間＝４〜３０秒であり、押下頻度＝圧縮であり、押下強度＝１Ｋｇ以下であるか否かを判定する。通信メッセージ５１０の状態＝押下、押下時間＝４〜３０秒、押下頻度＝圧縮、押下強度＝１Ｋｇ以下である場合、ステップＳ８０６０において、"１"（感動を意味する）を、図７の感情履歴ＤＢ１１１の構成：ＤＢレイアウト７１０に設定する。
【００７９】
ステップＳ８０２０において、通信メッセージ５１０の状態＝圧縮であり、押下時間＝４〜３０秒であり、押下頻度＝数回であり、押下強度＝１Ｋｇ以上であるか否かを判定する。通信メッセージ５１０の状態＝圧縮、押下時間＝４〜３０秒、押下頻度＝数回、押下強度＝１Ｋｇ以上である場合、ステップＳ８０７０において、"２"（驚きを意味する）を、図７の感情履歴ＤＢ１１１の構成：ＤＢレイアウト７１０に設定する。
【００８０】
ステップＳ８０３０において、通信メッセージ５１０の状態＝押下であり、押下時間＝１秒以内であり、押下頻度＝１回であり、押下強度＝１Ｋｇ以上であるか否かを判定する。通信メッセージ５１０の状態＝押下、押下時間＝１秒以内、押下頻度＝１回、押下強度＝１Ｋｇ以上である場合、ステップＳ８０８０において、"３"（怒りを意味する）を、図７の感情履歴ＤＢ１１１の構成：ＤＢレイアウト７１０に設定する。
【００８１】
ステップＳ８０４０において、通信メッセージ５１０の状態＝圧縮であり、押下時間＝４〜３０秒であり、押下頻度＝圧縮であり、押下強度＝１Ｋｇ以上であるか否かを判定する。通信メッセージ５１０の状態＝圧縮、押下時間＝４〜３０秒、押下頻度＝圧縮、押下強度＝１Ｋｇ以上である場合、ステップＳ８０９０において、"４"（恐怖を意味する）を、図７の感情履歴ＤＢ１１１の構成：ＤＢレイアウト７１０に設定する。
【００８２】
ステップＳ８０６０〜ステップＳ８０９０が各々終了した時、ステップＳ８１２０において、押下時間と押下強度のそれぞれの閾値から相対的な位置にあるポイント（００１.００〜１００．００の範囲内で）を算出する。そして、図７の感情履歴ＤＢ１１１の構成：ＤＢレイアウト７１０の感動ポイントに設定する。
【００８３】
ステップＳ８０５０において、通信メッセージ５１０の状態＝圧縮であり、押下時間＝３１〜１８００秒であり、押下頻度＝圧縮であるか否かを判定する。通信メッセージ５１０の状態＝圧縮、押下時間＝３１〜１８００秒、押下頻度＝圧縮である場合、ステップＳ８１００において、"５"（就寝を意味する）を、図７の感情履歴ＤＢ１１１の構成：ＤＢレイアウト７１０に設定する。
【００８４】
ステップＳ８０５０の条件に合致しない時、ステップＳ８１１０において、"Ｅｒｒ"（エラーを意味する）を、図７の感情履歴ＤＢ１１１の構成：ＤＢレイアウト７１０に設定する。
【００８５】
本処理終了後、図１０のアプリケーション３１０のフローチャートに戻る。ステップＳ１００５０において、図８の感情判定処理４０５０でＤＢレイアウト７１０の感情種別と感情ポイントを通知メッセージとして設定し、映像表示装置１２０に送信する。
【００８６】
通信メッセージは、図１６の映像制御装置１１０から映像表示装置１２０への通信メッセージと同様である。
【００８７】
通知メッセージを受信した画面表示装置１２０は、図１３の映像表示装置の画面表示イメージ（感情レベル表示選択＋該当コンテンツ表示）の表示画面１３０１を表示する。
ただし、図８の感情判定処理４０５０でＤＢレイアウト７１０の感情種別が"Ｅｒｒ"の場合、映像表示装置１２０に通知メッセージを送信する。
【００８８】
通知メッセージを受信した画面表示装置１２０は、図１３の映像表示装置の画面表示イメージ（感情レベル表示選択＋該当コンテンツ表示）の表示画面１３０２を表示する。
ステップＳ１００３０の条件に合致しない場合、ステップＳ１００６０において、映像表示装置にエラー情報を通知する。
【００８９】
通知メッセージを受信した画面表示装置１２０は、図１３の映像表示装置の画面表示イメージ（感情レベル表示選択＋該当コンテンツ表示）の表示画面１３０３を表示する。
アプリケーション３１０が実行された後、図３の映像制御装置１１０の再生モードのシークエンスに戻る。
【００９０】
ステップＳ３２０において、図１３の表示画面１３０１の状態時に、利用者が利用者操作装置１４０に対して利用者操作装置１４０への挙動を開放した場合、当該映像プログラムを選択したと見なされ、利用者挙動情報Ｍ３０３が映像制御装置１１０に送信される。当該メッセージを受信した映像制御装置１１０は、映像記憶装置１６０に当該映像プログラムと一致する映像プログラム要求命令を実行する。
【００９１】
当該映像プログラム要求命令を受信した映像記憶装置１６０は、該当する映像プログラムを抽出し、映像制御装置１１０に送信する。
【００９２】
当該映像プログラムを受信した映像制御装置１１０は、映像表示装置１２０に当該映像プログラムを表示するように映像表示命令を実行する。
【００９３】
映像制御装置１１０は、映像表示装置１２０が映像プログラムを表示中に、感情履歴の映像チェックポイント時間に到達した時、感情種別と感動ポイントを表示画面にスーパーインポーズさせる。これは、図１４の映像表示装置の画面イメージ（感情チェックポイント表示）と同様である。
【００９４】
ステップＳ３３０において、映像プログラムが終了した時、映像記憶装置１２０は映像終了通知命令を、映像制御装置１１０に送信する。
【００９５】
該当データが存在しない場合、映像制御装置１１０は、ネットワークの信頼関係がある映像制御装置１３０に対して、映像制御装置１３０管理下の映像記憶装置に存在するかどうかを問い合わせ依頼する。
【００９６】
当該映像終了通知命令を受信した映像制御装置１１０は、図１５の映像表示装置の画面イメージ（終了通知）と同様に、映像プログラムの終了を表示する。これで本シークエンスを完了とする。
【００９７】
上記処理により、簡単な利用者操作から利用者に自分の嗜好に合った映像の視覚的な利用者インターフェイスによる自動録画・再生を可能にしている。
【００９８】
第１の実施形態と第２の実施形態との双方を組合せる。このことで、映像制御装置が、簡単な利用者操作から映像コンテンツの属性情報を自動収集し、映像コンテンツの内容に対する利用者の感情と感情の大きさの度合いを自動判定し、映像コンテンツを分類するために必要なパラメータを自動生成する。その上で、映像録画・再生処理を実行することにより、簡単操作で利用者に自分の嗜好に合った映像の自動録画・再生処理を実現する。
【図面の簡単な説明】
【００９９】
【図１】本発明の実施形態に係るシステム概要図である。
【図２】映像装置の録画モードのシークエンス図である。
【図３】映像装置の再生モードのシークエンス図である。
【図４】アプリケーション２１０の処理を示すフローチャートである。
【図５】利用者操作装置１４０からの通信メッセージを示す図である。
【図６】感情ポリシーＤＢの構成を示す図である。
【図７】感情履歴ＤＢの構成を示す図である。
【図８】感情判定処理のフローチャートである。
【図９】アプリケーション２２０の処理を示すフローチャートである。
【図１０】アプリケーション３１０の処理を示すフローチャートである。
【図１１】利用者操作装置のハードウェア構成を示す図である。
【図１２】映像表示装置の画面表示イメージ（感情レベル表示）を示す図である。
【図１３】映像表示装置の画面表示イメージ（感情レベル表示選択＋該当映像コンテンツ名表示）を示す図である。
【図１４】映像表示装置の画面表示イメージ（感情チェックポイント表示）を示す図である。
【図１５】映像表示装置の画面表示イメージ（終了通知）を示す図である。
【図１６】映像制御装置から映像表示装置への通信メッセージを示す図である。
【図１７】映像制御装置のハードウェア構成を示す図である。
【符号の説明】
【０１００】
１１０  映像制御装置
１１１  感情履歴ＤＢ
１１２  感情ポリシーＤＢ
１２０  映像表示装置
１２１  映像入力装置
１３０  映像制御装置
１４０  利用者操作装置
１５０  利用者操作装置
１６０  映像記憶装置
【図１】
2007336098.tif 000003
【図２】
2007336098.tif 000004
【図３】
2007336098.tif 000005
【図４】
2007336098.tif 000006
【図５】
2007336098.tif 000007
【図６】
2007336098.tif 000008
【図７】
2007336098.tif 000009
【図８】
2007336098.tif 000010
【図９】
2007336098.tif 000011
【図１０】
2007336098.tif 000012
【図１１】
2007336098.tif 000013
【図１２】
2007336098.tif 000014
【図１３】
2007336098.tif 000015
【図１４】
2007336098.tif 000016
【図１５】
2007336098.tif 000017
【図１６】
2007336098.tif 000018
【図１７】
2007336098.tif 000019